(57)【要約】      （修正有）【課題】電気柵用電線支持具において、わかり易く簡単に裸電線を支持させることができる電気柵用電線支持具を提供する。【解決手段】輪穴形成部６ａで輪穴９ａを形成し、さらにこの輪穴形成部６ａの終端７ａが輪穴形成部始点５ａの縦位置よりも１ｍｍ以上下の位置で、かつ、輪穴形成部始点５ａの横位置よりも１ｍｍ以上離れた位置とし、前記輪穴形成部始点５ａ付近と前記終端７ａ付近との空間を巻き始め側通し口８ａとする。また、輪穴形成部６ｂで輪穴９ｂを形成し、さらに輪穴形成部６ｂの終端７ｂが輪穴形成部始点５ｂの縦位置よりも１ｍｍ以上下の位置で、かつ、輪穴形成部始点５ｂの横位置よりも１ｍｍ以上離れた位置とし、前記輪穴形成部始点５ｂ付近と前記終端７ｂ付近との空間を巻き終り側通し口８ｂとを備え、さらに、通し口６ａに、裸電線を差し込み支持する。【選択図】図３
0003180547.tif 000002
【実用新案登録請求の範囲】
【請求項１】
弾性材料を巻いてコイルばね本体１Ｈとし、
このコイルばね本体１Ｈの巻き始め側線条１ａをコイルばね本体１Ｈの外縁に沿ってコイルばね本体１Ｈの巻き終わり方向へ折曲して巻き始め側ヒンジ部２ａとし、さらにこの巻き始め側ヒンジ部２ａの先端線条３ａを、同コイルばね本体１Ｈの中心軸線から遠ざかる方向へ折曲し延出して巻き始め側アーム４ａとし、この巻き始め側アーム４ａの線条の方向が変り始める輪穴形成部始点５ａとし、この輪穴形成部始点５ａから約一周延出して輪穴形成部６ａとし、この輪穴形成部６ａの終端７ａが輪穴形成部始点５ａの縦位置よりも１ｍｍ以上下の位置で、かつ、輪穴形成部始点５ａの横位置よりも１ｍｍ以上離れた位置とし、前記輪穴形成部始点５ａ付近と前記終端７ａ付近との空間を巻き始め側通し口８ａとし、前記コイルばね本体１Ｈの巻き終わり線条１ｂをコイルばね本体１Ｈの外縁に沿ってコイルばね本体１Ｈの巻き始め方向へ折曲して巻き終わり側ヒンジ部２ｂとし、さらにこの巻き終わり側ヒンジ部２ｂの先端線条３ｂを、同コイルばね本体１Ｈの中心軸線から遠ざかる方向とへ折曲後、下方へ角度約３０度延出して巻き終わり側アーム４ｂとし、この巻き終わり側アーム４ｂの線条の方向が変り始める輪穴形成部始点５ｂとし、この輪穴形成部始点５ｂから約一周延出して輪穴形成部６ｂとし、この輪穴形成部６ｂの終端７ｂが輪穴形成部始点５ｂの縦位置よりも１ｍｍ以上下の位置で、かつ、輪穴形成部始点５ｂの横位置よりも１ｍｍ以上離れた位置とし、前記輪穴形成部始点５ｂ付近と前記終端７ｂ付近との空間を巻き終り側通し口８ｂとを備える電気柵用電線支持具。
【考案の詳細な説明】
【技術分野】
【０００１】  本考案は、田畑に猪、鹿等の害獣が侵入するのを防止するために、田畑の周囲に設置される電気柵用電線支持具に関するものである。
【背景技術】
【０００２】中山間地域の農村地帯の田畑に猪、鹿等の害獣が侵入するのを防止するために、田畑の周囲に裸電線を張り巡らし、この裸電線に衝撃電圧を印加するようにした電気柵が多く使用されている。
この害獣侵入防止用電気柵は、次の▲１▼〜▲４▼で構成される。
▲１▼支柱
▲２▼電線支持具
▲３▼裸電線
▲４▼衝撃電圧発生器
上記電線支持具には、例えば特許文献１には、図１に示すような電気柵用電線支持具が記載されている。
特許文献１に記載の電気柵用電線支持具は、ワイヤ挿通可能な輪穴を有する腕部とを備えている。【０００３】
【先行技術文献】
【特許文献】
【０００４】
【特許文献１】実用新案公開昭６２−１２４１５１
【考案の概要】
【考案が解決しようとする課題】
【０００５】  しかし、特許文献１に記載の電気柵用電線支持具は、図２に示すように輪穴１３の上の隙間から裸電線を通した後、今度は他方の輪穴の下の隙間から裸電線を通さなければならなかった。
このよに、従来の電気柵用電線支持具は、人が裸電線を電気柵用電線支持具に支持させるためには、輪穴１３の上の隙間から裸電線を通した後、次は他方の輪穴の下の隙間から裸電線を通さなければならず、腕や手がなじめない動きとなり不便であったので、人がわかり易く簡単に裸電線を支持させることができる電気柵用電線支持具が求められていた。
本考案は、以上の点を鑑みて創案されたものであり、電気柵用電線支持具において
わかり易く簡単に裸電線を支持させることができる電気柵用電線支持具を提供することを目的とする。
【課題を解決するための手段】
【０００６】  上記の目的を達成するために、本考案の電気柵用電線支持具は、弾性材料を巻いてコイルばね本体１Ｈとし、
このコイルばね本体１Ｈの巻き始め側線条１ａをコイルばね本体１Ｈの外縁に沿ってコイルばね本体１Ｈの巻き終わり方向へ折曲して巻き始め側ヒンジ部２ａとし、さらにこの巻き始め側ヒンジ部２ａの先端線条３ａを、同コイルばね本体１Ｈの中心軸線から遠ざかる方向へ折曲し延出して巻き始め側アーム４ａとし、この巻き始め側アーム４ａの線条の方向が変り始める輪穴形成部始点５ａとし、この輪穴形成部始点５ａから約一周延出して輪穴形成部６ａとして輪穴９ａを形成し、さらに輪穴形成部６ａの終端７ａが輪穴形成部始点５ａの縦位置よりも１ｍｍ以上下の位置で、かつ、輪穴形成部始点５ａの横位置よりも１ｍｍ以上離れた位置とし、前記輪穴形成部始点５ａ付近と前記終端７ａ付近との空間を巻き始め側通し口８ａとし、
前記コイルばね本体１Ｈの巻き終わり線条１ｂをコイルばね本体１Ｈの外縁に沿ってコイルばね本体１Ｈの巻き始め方向へ折曲して巻き終わり側ヒンジ部２ｂとし、さらにこの巻き終わり側ヒンジ部２ｂの先端線条３ｂを、同コイルばね本体１Ｈの中心軸線から遠ざかる方向とへ折曲後、下方へ角度約３０度延出して巻き終わり側アーム４ｂとし、この巻き終わり側アーム４ｂの線条の方向が変り始める輪穴形成部始点５ｂとし、この輪穴形成部始点５ｂから約一周延出して輪穴形成部６ｂとして輪穴９ｂを形成し、さらに輪穴形成部６ｂの終端７ｂが輪穴形成部始点５ｂの縦位置よりも１ｍｍ以上下の位置で、かつ、輪穴形成部始点５ｂの横位置よりも１ｍｍ以上離れた位置とし、前記輪穴形成部始点５ｂ付近と前記終端７ｂ付近との空間を巻き終り側通し口８ｂとを備える。【０００７】ここで、本考案の電気柵用電線支持具１の、巻き始め側アーム４ａとし、この巻き始め側アーム４ａの線条の方向が変り始める輪穴形成部始点５ａとし、この輪穴形成部始点５ａから約一周延出して輪穴形成部６ａとして輪穴９ａを形成し、さらに輪穴形成部６ａの終端７ａが輪穴形成部始点５ａの縦位置よりも１ｍｍ以上下の位置で、かつ、輪穴形成部始点５ａの横位置よりも１ｍｍ以上離れた位置とし、前記輪穴形成部始点５ａ付近と前記終端７ａ付近との空間を巻き始め側通し口８ａと、
かつ、巻き終わり側アーム４ｂとし、この巻き終わり側アーム４ｂの線条の方向が変り始める輪穴形成部始点５ｂとし、この輪穴形成部始点５ｂから約一周延出して輪穴形成部６ｂとして輪穴９ｂを形成し、さらに輪穴形成部６ｂの終端７ｂが輪穴形成部始点５ｂの縦位置よりも１ｍｍ以上下の位置で、かつ、輪穴形成部始点５ｂの横位置よりも１ｍｍ以上離れた位置とし、前記輪穴形成部始点５ｂ付近と前記終端７ｂ付近との空間を巻き終り側通し口８ｂとによって、
人が裸電線Ｗを電気柵用電線支持具１に支持させるためには、裸電線をともに下部に位置する巻き始め側通し口８ａ、巻き終り側通し口８ｂに差し入れるだけで、裸電線Ｗは電気柵用電線支持具１に支持される。
【考案の効果】
【０００８】  本考案に係る電気柵用電線支持具１は、人がわかり易く簡単に裸電線Ｗを支持することができる。
【図面の簡単な説明】
【０００９】
【図１】支柱に固定した従来の電気柵用電線支持具に裸電線を支持した斜視図である。
【図２】従来の電気柵用電線支持具の片方の輪穴１３に裸電線を支持した底面図である。
【図３】本考案の電気柵用電線支持具を左側面上方から見た斜視図である。
【図４】本考案の電気柵用電線支持具の正面図である。
【図５】本考案の電気柵用電線支持具の左側面である。
【図６】本考案の電気柵用電線支持具の上面図である。
【図７】本考案の電気柵用電線支持具の輪穴形成部６ａ、６ｂに矢印の方向に力を与えた上面図である。
【図８】本考案の電気柵用電線支持具を支柱に通す前の斜視図である。
【図９】本考案の電気柵用電線支持具を支柱に通している斜視図である。
【図１０】本考案の電気柵用電線支持具を支柱の任意の場所に固定した斜視図である。
【図１１】本考案の電気柵用電線支持具の片方の輪穴下方の通し口に裸電線を差し入れる前の斜視図である。
【図１２】本考案の電気柵用電線支持具の片方の輪穴下方の通し口に裸電線を差し入れ始めた斜視図である。
【図１３】本考案の電気柵用電線支持具の片方の輪穴下方の通し口を裸電線が通り抜けて輪穴に遊架支持された斜視図である。
【図１４】本考案の電気柵用電線支持具の残る他方の輪穴下方の通し口に裸電線を差し入れる前の斜視図である。
【図１５】本考案の電気柵用電線支持具の残る他方の輪穴下方の通し口に裸電線を差し入れ始めた斜視図である。
【図１６】本考案の電気柵用電線支持具の残る他方の輪穴下方の通し口を裸電線が通り抜けて輪穴に遊架支持された斜視図である。
【考案を実施するための形態】
【００１０】  以下、本考案の実施の形態について図面を参照しながら説明し、本考案の理解に供する。
１．本考案の電気柵用電線支持具１を支柱１４に固定するには、下記の手順で行う。
図３〜６に示すように、本考案の電気柵用電線支持具１は弾性材料を巻いてコイルばね本体１Ｈとし、
このコイルばね本体１Ｈの巻き始め側線条１ａをコイルばね本体１Ｈの外縁に沿ってコイルばね本体１Ｈの巻き終わり方向へ折曲して巻き始め側ヒンジ部２ａとし、さらにこの巻き始め側ヒンジ部２ａの先端線条３ａを、同コイルばね本体１Ｈの中心軸線から遠ざかる方向へ折曲し延出して巻き始め側アーム４ａとし、この巻き始め側アーム４ａの線条の方向が変り始める輪穴形成部始点５ａとし、この輪穴形成部始点５ａから約一周延出して輪穴形成部６ａとして輪穴９ａを形成し、
前記コイルばね本体１Ｈの巻き終わり線条１ｂをコイルばね本体１Ｈの外縁に沿ってコイルばね本体１Ｈの巻き始め方向へ折曲して巻き終わり側ヒンジ部２ｂとし、さらにこの巻き終わり側ヒンジ部２ｂの先端線条３ｂを、同コイルばね本体１Ｈの中心軸線から遠ざかる方向とへ折曲後、下方へ角度約３０度延出して巻き終わり側アーム４ｂとし、この巻き終わり側アーム４ｂの線条の方向が変り始める輪穴形成部始点５ｂとし、この輪穴形成部始点５ｂから約一周延出して輪穴形成部６ｂとして輪穴９ｂを形成しているので、
図６に示すようにコイルばね本体の内径ＮＫは例えば１４ｍｍであるが、図７に示すように、輪穴形成部６ａ、６ｂに矢印の方向に力を加えるとコイルばね本体の内径ＮＫは例えば１５ｍｍに広がので、
▲１▼図８に示すように、直径が例えば１４ｍｍの支柱に本考案の電気柵用電線支持具１を通すときには、輪穴形成部６ａ、６ｂをつまんでコイルばね本体の内径を１５ｍｍに広げる。
▲２▼次に、図９に示すように支柱１４に本考案の電気柵用電線支持具１を通す。
▲３▼次に、図１０に示すように支柱１４の任意の位置で本考案の電気柵用電線支持具１から手を離すと電気柵用電線支持具１はその位置で支柱１４に固定される。
【００１１】  ２．本考案の電気柵用電線支持具１で裸電線Ｗを支持するには、下記の手順で行う。
図３〜６に示すように、本考案の電気柵用電線支持具１は、輪穴形成部６ａで輪穴９ａを形成し、さらにこの輪穴形成部６ａの終端７ａが輪穴形成部始点５ａの縦位置よりも１ｍｍ以上下の位置で、かつ、輪穴形成部始点５ａの横位置よりも１ｍｍ以上離れた位置とし、前記輪穴形成部始点５ａ付近と前記終端７ａ付近との空間を巻き始め側通し口８ａとし、また、輪穴形成部６ｂで輪穴９ｂを形成し、さらに輪穴形成部６ｂの終端７ｂが輪穴形成部始点５ｂの縦位置よりも１ｍｍ以上下の位置で、かつ、輪穴形成部始点５ｂの横位置よりも１ｍｍ以上離れた位置とし、前記輪穴形成部始点５ｂ付近と前記終端７ｂ付近との空間を巻き終り側通し口８ｂとを備えるので、
▲１▼図１１に示すように、本考案の電気柵用電線支持具１の片方の輪穴形成部６ａ下方の通し口８ａの近くに裸電線Ｗを持ってくる。
▲２▼次に、図１２に示すように、輪穴形成部６ａ下方の通し口８ａに裸電線Ｗを差し入れ始める。
▲３▼次に、図１３に示すように、輪穴形成部６ａ下方の通し口８ａを裸電線Ｗが通り抜けて輪穴形成部６ａで形成された輪穴９ａに遊架支持される。
▲４▼次に、図１４に示すように、本考案の電気柵用電線支持具１の他方の輪穴形成部６ｂ下方の通し口８ｂの近くに裸電線Ｗを持ってくる。
▲５▼次に、図１５に示すように、輪穴形成部６ｂ下方の通し口８ｂに裸電線Ｗを差し入れ始める。
▲６▼次に、図１６に示すように、輪穴形成部６ｂ下方の通し口８ｂを裸電線Ｗが通り抜けて輪穴形成部６ｂで形成された輪穴９ｂに遊架支持される。
【００１１】  以上のように、本考案の電気柵用電線支持具１はこの輪穴形成部６ａの終端７ａが輪穴形成部始点５ａの縦位置よりも１ｍｍ以上下の位置で、かつ、輪穴形成部始点５ａの横位置よりも１ｍｍ以上離れた位置とし、前記輪穴形成部始点５ａ付近と前記終端７ａ付近との空間を巻き始め側通し口８ａとし、また、この輪穴形成部６ｂの終端７ｂが輪穴形成部始点５ｂの縦位置よりも１ｍｍ以上下の位置で、かつ、輪穴形成部始点５ｂの横位置よりも１ｍｍ以上離れた位置とし、前記輪穴形成部始点５ｂ付近と前記終端７ｂ付近との空間を巻き終り側通し口８ｂとを備えるので、
輪穴形成部に裸電線Ｗを遊架支持するには、輪穴形成部６ａ、６ｂの下方の通し口８ａ、８ｂに裸電線Ｗを差しいれるだけでよい。
よって、本考案の電気柵用電線支持具１は、人がわかり易く簡単に裸電線Ｗを遊架支持することができる。
【符号の説明】
【００１２】  １    本考案の電気柵用電線支持具
１Ｈ  コイルばね本体
１ａ  巻き始め側線条
１ｂ  巻き終り側線条
２ａ  巻き始め側ヒンジ部
２ｂ  巻き終り側ヒンジ部
３ａ  先端線条（巻き始め側）
３ｂ  先端線条（巻き終り側）
４ａ  巻き始め側アーム
４ｂ  巻き終り側アーム
５ａ  輪穴形成部始点（巻き始め側）
５ｂ  輪穴形成部始点（巻き終り側）
６ａ  輪穴形成部（巻き始め側）
６ｂ  輪穴形成部（巻き終り側）
７ａ  終端（巻き始め側）
７ｂ  終端（巻き終り側）
８ａ  巻き始め側通し口
８ｂ  巻き終り側通し口
９ａ  輪穴（巻き始め側）
９ｂ  輪穴（巻き終り側）
ＮＫ  内径
１０    従来の電気柵用電線支持具
１１    胴部
１２    腕部
１２ａ  湾曲部
１３    輪穴
１４    支柱
Ｗ    ワイヤ、裸電線
【図１】
0003180547.tif 000003
【図２】
0003180547.tif 000004
【図３】
0003180547.tif 000005
【図４】
0003180547.tif 000006
【図５】
0003180547.tif 000007
【図６】
0003180547.tif 000008
【図７】
0003180547.tif 000009
【図８】
0003180547.tif 000010
【図９】
0003180547.tif 000011
【図１０】
0003180547.tif 000012
【図１１】
0003180547.tif 000013
【図１２】
0003180547.tif 000014
【図１３】
0003180547.tif 000015
【図１４】
0003180547.tif 000016
【図１５】
0003180547.tif 000017
【図１６】
0003180547.tif 000018